(57)【特許請求の範囲】
【請求項１】
交換可能なレンズユニットと光学部材とを結合する光学部材結合装置において、
前記光学部材を、該光学部材の光軸に垂直な面内において移動可能に支持する支持部を備え、
前記支持部は、前記光軸に垂直な２面を有し、該２面のうち一方の面内において前記レンズユニットを支持するパネルと、該パネルの他方の面内において一方向に摺動可能に支持される第１ベース部と、該他方の面と略平行な該第１ベース部上面において、前記一方向と略直交する方向に摺動可能に支持されるとともに、前記光学部材が取り付けられる第２ベース部とからなり、
前記光学部材の前記パネルへの取り付けが、前記第１ベース部および前記第２ベース部を前記パネルにネジ止め固定することにより行われるように構成されており、
前記第１ベース部および前記第２ベース部に、前記ネジ止め固定が行われる前の段階において、前記光学部材を前記レンズユニットに対して光軸方向に垂直な平面において微調整移動させるための、長孔からなる工具挿入孔が形成されており、
前記第１ベース部に形成された工具挿入孔と、前記第２ベース部に形成された工具挿入孔とは、各々の中央部分において互いに干渉するように、かつ各々の長軸が略直交するように配置されていることを特徴とする光学部材結合装置。
【請求項２】
前記第２ベース部の底面には前記第１ベース部の段部と係合する凸部が形成され、該第２ベース部の、該凸部が形成された側と反対側の端面には板バネが取り付けられており、該第２ベース部は、該凸部と該板バネとにより前記第１ベース部を挟むように設置され、該第１ベース部に対して移動するように構成されていることを特徴とする請求項１記載の光学部材結合装置。
【発明の詳細な説明】
【０００１】
【発明の属する技術分野】
本発明は、例えば色分解プリズムのような光学部材とレンズユニットとを結合するための光学部材結合装置に関するものである。
【０００２】
【従来の技術】
放送用テレビカメラ等においては、その撮影用レンズにズームレンズが多く用いられる。このズームレンズは、これを鏡胴内に収容したズームレンズユニットとして光学装置本体（カメラ本体）に取り付けられるが、撮影状況に応じてズーム比の異なる種々のズームレンズを選択的に使用できるようにするため、上記レンズユニットを光学装置本体に着脱可能に取り付けるように構成されたレンズマウント構造も多く採用されている。
【０００３】
このようなレンズマウント構造においては、平板状のパネルの一方の面にレンズユニットを着脱可能とする機構を取り付け、他方の面に入射光束をＲ（赤）、Ｇ（緑）、Ｂ（青）３原色光に分解する色分解プリズムを取り付けるようにした光学部材結合装置が使用される。このような光学部材結合装置によりレンズユニットと色分解プリズムとを結合する際には、まず色分解プリズムをパネルに固定し、その後にレンズの取付面と色分解プリズムの後段に配されるＣＣＤの結像面との基準距離が定められた基準レンズをパネルに取り付け、その後、基準レンズの光軸と結像中心とが一致するように、ＣＣＤを色分解プリズムの後端面に取り付けるようにしている。
【０００４】
【発明が解決しようとする課題】
しかしながら、ＣＣＤの結像中心は基準レンズの光軸と一致させるように取り付けられるため、上述したように種々のレンズユニットを交換して使用すると、設計上の誤差等により、レンズユニットの光軸とＣＣＤの結像中心とがずれてしまうことがある。このようにレンズユニットの光軸とＣＣＤの結像中心とがずれると、ＣＣＤにより撮影される映像がずれてしまうという問題がある。
【０００５】
本発明はこのような事情に鑑みてなされたもので、レンズユニットの光軸とＣＣＤ等の撮像素子上の結像中心とのずれを容易かつ確実に補正することができる光学部材結合装置を提供することを目的とするものである。
【０００６】
【課題を解決するための手段】
本発明の光学部材結合装置は、交換可能なレンズユニットと光学部材とを結合する光学部材結合装置において、
前記光学部材を、該光学部材の光軸に垂直な面内において移動可能に支持する支持部を備え、
前記支持部は、前記光軸に垂直な２面を有し、該２面のうち一方の面内において前記レンズユニットを支持するパネルと、該パネルの他方の面内において一方向に摺動可能に支持される第１ベース部と、該他方の面と略平行な該第１ベース部上面において、前記一方向と略直交する方向に摺動可能に支持されるとともに、前記光学部材が取り付けられる第２ベース部とからなり、
前記光学部材の前記パネルへの取り付けが、前記第１ベース部および前記第２ベース部を前記パネルにネジ止め固定することにより行われるように構成されており、
前記第１ベース部および前記第２ベース部に、前記ネジ止め固定が行われる前の段階において、前記光学部材を前記レンズユニットに対して光軸方向に垂直な平面において微調整移動させるための、長孔からなる工具挿入孔が形成されており、
前記第１ベース部に形成された工具挿入孔と、前記第２ベース部に形成された工具挿入孔とは、各々の中央部分において互いに干渉するように、かつ各々の長軸が略直交するように配置されていることを特徴とするものである。
【０００７】
前記支持部の具体的構成としては、例えば、前記第２ベース部の底面には前記第１ベース部の段部と係合する凸部が形成され、該第２ベース部の、該凸部が形成された側と反対側の端面には板バネが取り付けられており、該第２ベース部は、該凸部と該板バネとにより前記第１ベース部を挟むように設置され、該第１ベース部に対して移動する構成とすることが可能である。
【０００８】
前記ネジ止め固定が行われる前の段階において、工具挿入孔を利用してレンズユニットの光軸と光学部材の光軸とを一致させることが可能である。
【００１０】
【発明の実施の形態】
以下、本発明の実施形態を図面を参照して説明する。図１は本発明の一実施形態に係る光学部材結合装置を示す平面図であり、図２は図１のＡ方向矢視図、図３は図１のＢ方向矢視図である。
【００１１】
これらの図に示すように、本実施形態に係る光学部材結合装置は、基準レンズやズームレンズユニット１（以下基準レンズ１とすることもある）と３色分解プリズム２とを結合するための装置である。色分解プリズム２は、緑色光用ＣＣＤ３１に緑色光を導く第１プリズム２１、青色光用ＣＣＤ３２に青色光を導く第２プリズム２２、および赤色光用ＣＣＤ３３に赤色光を導く第３プリズム(不図示)により構成されている。
【００１２】
図１〜図３に示すように、本実施形態に係る光学部材結合装置は、互いに平行な２面を有する平板状のパネル３を備えてなり、このパネル３の一方の面にレンズユニット１を着脱可能に取り付けるためのマウント機構４が取り付けられている。パネル３の他方の面には、色分解プリズム２を固定するための支持部５が図４に示す形状を有するカバー６とともに取り付けられている。カバー６には図４に示すように色分解プリズム２が挿入される孔６Ａと、後述するようにして第１ベース７が摺接する摺動部６Ｂとが形成されている。
【００１３】
支持部５は、第１ベース７と、第２ベース８とからなる。第１ベース７は底面に切欠部７Ａが形成されており、上面には段部７Ｆが形成されている。第１ベース７をパネル３に取り付けた際に、切欠部７Ａがカバー６の摺動部６Ｂと摺接し、これにより第１ベース７はパネル３に対して図１のＸ軸方向に摺動可能とされる。また、第１ベース７には、第１ベース７をパネル３に固定する六角穴付きネジ１０Ａ、１０Ｂを挿入するためのネジ挿入孔７Ｂ、７Ｃおよび第２ベース８をパネル３に固定する六角穴付きネジ１１Ａ、１１Ｂを挿入するためのネジ挿入孔７Ｄ、７Ｅが形成されている。これらネジ挿入孔７Ｂ、７Ｃ、７Ｄ、７Ｅは、六角穴付きネジ１０Ａ、１０Ｂ、１１Ａ、１１Ｂの径よりも大きく形成されている。さらに、第１ベース７には、図１のＹ軸方向に長軸を有する長円形の工具挿入孔７Ｇが形成されている。
【００１４】
第２ベース８は、図２に示すように底部８Ａと立設部８Ｂとにより断面Ｌ字状をなし、底部８Ａの底面に第１ベース７の段部７Ｆと係合する凸部８Ｃが形成されている。一方、底部８Ａの凸部８Ｃが形成された側とは反対側の端面には、ネジ１３Ａ、１３Ｂにより板バネ１４が取り付けられている。そして、凸部８Ｃと板バネ１４とにより第１ベース７の上部を挟むようにして、第１ベース７上に第２ベース８が載置される。これにより、第２ベース８は第１ベース７に対して図１のＹ軸方向に摺動可能とされる。
【００１５】
色分解プリズム２は台座１２を介して第２ベース８の立設部８Ｂに接着剤により接合される。また、第２ベース８の底部８Ａには、第２ベース８をパネル３に固定する六角穴付きネジ１１Ａ、１１Ｂを挿入するためのネジ挿入孔８Ｄ、８Ｅが形成されている。これらネジ挿入孔８Ｄ、８Ｅは、六角穴付きネジ１１Ａ、１１Ｂの径よりも大きく形成されている。また、第１ベース７のネジ挿入孔７Ｂ、７Ｃと対応する位置には六角穴付きネジ１０Ａ、１０Ｂを締めるための六角レンチを挿入する挿入孔８Ｈ、８Ｉが形成されている。
【００１６】
一方、第２ベース８の底部８Ａには、図１のＸ軸方向に長軸を有する長円形の工具挿入孔８Ｇが形成されている。そして、第２ベース８を第１ベース７に取り付けた際には、図５の拡大図に示すように、工具挿入孔７Ｇの長軸と工具挿入孔８Ｇの長軸とが直交するとともに、工具挿入孔７Ｇと工具挿入孔８Ｇとが各々の中央部分において干渉する。なお、図５においてパネル３に形成されたネジ孔３Ａを、工具挿入孔７Ｇおよび工具挿入孔８Ｇから臨むことができるが、このネジ孔３Ａは、カメラの出荷時において、一旦光軸調整された色分解プリズム２がパネル３からずれることを防止するために、色分解プリズム２とパネル３とをネジ止めするためのネジ孔である。
【００１７】
次に、上記支持部５のパネル３への取り付けは、次のようにして行われる。まず、第２ベース８の立設部８Ｂに台座１２を介して色分解プリズム２を取り付け、さらに底部８Ａの端面に、ネジ１３Ａ、１３Ｂにより板バネ１４を取り付ける。
【００１８】
そして、パネル３のマウント機構４が取り付けられている側とは反対側の面にカバー６を接着剤により貼付する。次に、第１ベース７のネジ挿入孔７Ｂ、７Ｃに六角穴付きネジ１０Ａ、１０Ｂを挿入して、第１ベース７をパネル３に仮止めする。この際、第１ベース７の切欠部７Ａがカバー６の摺動部６Ｂと当接するようにする。次いで、色分解プリズム２を取り付けた第２ベース８のネジ挿入孔８Ｄ、８Ｅおよび第１ベース７のネジ挿入孔７Ｄ、７Ｅに六角穴付きネジ１１Ａ、１１Ｂを挿入し、第２ベース８を第１ベース７を介してパネル３に仮止めする。この際、第１ベース７の段部７Ｆと第２ベース８の凸部８Ｃとが当接するようにする。これにより、第１ベース７の上部は第２ベース８の凸部８Ｃと板バネ１４とにより挟まれた状態となる。
【００１９】
次いで、マウント機構４に基準レンズ１を取り付け、基準レンズ１の光軸と色分解プリズム２の光軸とが合致するように、色分解プリズム２の位置合わせを行いつつ、色分解プリズム２をパネル３に固定する。この際、まず光軸のＸ軸方向の位置合わせは、第１ベース７をカバー６の摺動部６Ｂに押し付けて摺動させつつ移動し、Ｘ軸方向の位置が合致した後に六角穴付きネジ１０Ａ、１０Ｂを締め付けることにより行う。したがって、第１ベース７は光軸のＹ軸方向にずれることがない。一方、光軸のＹ軸方向の位置合わせは、Ｘ軸方向の位置合わせを行った後に、第２ベース８の凸部８Ｃと第１ベース７の段部７Ｆとを摺動させつつ移動し、Ｙ軸方向の位置が合致した後に六角穴付きネジ１１Ａ、１１Ｂを締め付けることにより行う。この際、第２ベース８は、凸部８Ｃと板バネ１４とにより第１ベース７の上部を挟んでいるため、そのＸ軸方向の移動は規制され、Ｙ軸方向にのみ移動可能となっている。したがって、第２ベース８は光軸のＸ軸方向にずれることがない。
【００２０】
このようにして基準レンズ１と色分解プリズム２との光軸の位置合わせを行った後、色分解プリズム２の第１プリズム２１、第２プリズム２２および第３プリズムの光射出端面にＣＣＤ３１、３２、３３を貼付する。この際、ＣＣＤ３１、３２、３３の結像中心と色分解プリズム２の光軸とが一致するようにする。このようにして、パネル３に色分解プリズム２を取り付けることにより、基準レンズ１の光軸とＣＣＤ３１、３２、３３との結像中心は一致した状態となる。
【００２１】
一方、マウント機構４に基準レンズ１とは異なる種々のズームレンズを取り付けて使用する場合において、取り替えたズームレンズの光軸とＣＣＤ３１、３２、３３の結像中心とがずれてしまう場合がある。この場合は、ズームレンズを取り付けた後に、六角穴付きネジ１０Ａ、１０Ｂ、１１Ａ、１１Ｂを僅かに弛めるとともに、工具挿入孔７Ｇ、８Ｇからジョイスティック１６を挿入し、図２の仮想線に示すようにジョイスティック１６をこじることにより、第１ベース７および第２ベース８を光軸に垂直な面に対しＸ軸方向およびＹ軸方向に移動して、ズームレンズの光軸とＣＣＤ３１、３２、３３の結像中心とを一致させる。
【００２２】
すなわち、ジョイスティック１６を工具挿入孔７Ｇ、８Ｇに挿入し、その先端をパネル３に当接させて、当接部分を中心としてＸ軸方向にこじることにより、第１ベース７がＸ軸方向に移動する。この際、上述したように第１ベース７の切欠部７Ａがカバー６の摺動部６Ｂと当接しつつ摺動するため、第１ベース７がＹ軸方向に移動することはない。一方、当接部分を中心としてジョイスティック１６をＹ軸方向にこじることにより、第２ベース８がＹ軸方向に移動する。この際、上述したように第２ベース８は、凸部８Ｃと板バネ１４とにより第１ベース７の上部を挟んでいるため、そのＸ軸方向の移動は規制されており、Ｘ軸方向にずれることがない。
【００２３】
このようにしてジョイスティック１６を工具挿入孔７Ｇ、８Ｇに挿入して第１ベース７および第２ベース８を移動して、ズームレンズの光軸とＣＣＤ３１、３２、３３の結像中心とを一致させた後、六角穴付きネジ１０Ａ、１０Ｂ、１１Ａ、１１Ｂを締結して、位置合わせを終了する。
【００２４】
以上のように、本実施形態の光学部材結合装置は、Ｘ軸方向にのみ移動可能な第１ベース７と、Ｙ軸方向にのみ移動可能な第２ベース８とにより色分解プリズム２をパネル３に取り付けたため、色分解プリズム２を光軸に垂直な平面において２次元的に移動することができる。したがって、ズームレンズを取り替えた場合において、ズームレンズの光軸とＣＣＤ３１、３２、３３の結像中心とがずれてしまった場合であっても、六角穴付きネジ１０Ａ、１０Ｂ、１１Ａ、１１Ｂを弛めて、色分解プリズム２をＸ軸方向およびＹ軸方向に移動させることにより、その位置合わせを行うことができる。したがって、ＣＣＤ３１、３２、３３に結像される像がずれてしまうことを防止することができる。
【００２５】
また、本実施形態においては、第１ベース７および第２ベース８に長軸が互いに直交する長円形の工具挿入孔７Ｇ、８Ｇを形成し、この工具挿入孔７Ｇ、８Ｇにジョイスティック１６を挿入してこじることにより、色分解プリズム２を光軸に垂直な平面において２次元的に移動させるようにしたため、ズームレンズの光軸とＣＣＤ３１、３２、３３の結像中心との位置合わせを容易に行うことができる。
【００２６】
なお、本発明の光学部材結合装置としては上記実施形態に限定されることなく、種々の態様の変更が可能である。
【００２７】
例えば、第１ベース７に切欠部７Ａおよび段部７Ｆを形成することなく、また、第２ベース８に凸部８Ｃを形成することなく、第１ベース７および第２ベース８を光軸に垂直な平面において、自由に移動させることが可能である。
【００２８】
また、第１ベース７を設けることなく、第２ベース８と同様の形状を有するベースをパネル３に取り付け、このベースを光軸に垂直な平面において移動させることが可能である。
また、工具挿入孔７Ｇ、８Ｇの形状を長円形ではなく、円形とすることが可能である。
【００２９】
【発明の効果】
以上詳細に説明したように、本発明の光学部材結合装置によれば、光学部材をその光軸に垂直な面内において移動可能に支持する支持部を設けたため、レンズユニットを交換してこのレンズユニットの光軸と光学部材の光軸とが一致しなくなった場合でも、支持部により光学部材を移動させることにより、レンズユニットの光軸と光学部材の光軸とを一致させることができる。したがって、光学部材に入射する像が光学部材の光軸とずれてしまうことを防止することができる。また、この支持部は、光軸に垂直な２面を有し、この２面のうち一方の面内においてレンズユニットを支持するパネルと、このパネルの他方の面内において一方向に摺動可能に支持される第１ベース部と、該他方の面と略平行な第１ベース部上面において、上記一方向と略直交する方向に摺動可能に支持されるとともに、上記光学部材が取り付けられる第２ベース部とから構成することにより、レンズユニットの光軸と光学部材の光軸、ひいては撮像素子の結像中心との位置合わせを容易かつ確実なものとすることができる。
【００３０】
また、上記２つのベース部に光学部材をレンズユニットに対して光軸に垂直な面内において移動させるための工具挿入孔を形成することにより、この工具挿入孔から工具を挿入して工具をこじるのみで、光学部材を光軸に垂直な面内において移動することができるため、光軸の調整を容易に行うことができる。
また、工具挿入孔を長孔とし、第１ベース部の長孔の長軸と、第２ベース部の長孔の長軸とを直交させることにより、工具を挿入しての光学部材の移動を一層容易に行うことができる。
【図面の簡単な説明】
【図１】本発明の一実施形態に係る光学部材結合装置の構造を示す平面図
【図２】図１のＡ方向矢視図
【図３】図１のＢ方向矢視図
【図４】図１に示すカバーの構成を示す図
【図５】図１に示す長孔の構成を示す部分拡大図
【符号の説明】
１  ズームレンズ
２  色分解プリズム
３  パネル
４  マウント機構
５  支持部
６  カバー
６Ｂ  摺動部
７  第１ベース
７Ａ  切欠部
７Ｆ  段部
８  第２ベース
８Ａ  底部
８Ｂ  立設部
８Ｃ  凸部
１２  台座
１４  板バネ
１６  ジョイスティック
【図１】
0003830111.tif 000002
【図２】
0003830111.tif 000003
【図３】
0003830111.tif 000004
【図４】
0003830111.tif 000005
【図５】
0003830111.tif 000006